(57)【要約】本発明は、細径化に寄与し得る内視鏡を提供することを目的とし、そのために本発明の内視鏡は、光学像を結像させる光が透過する第１の窓（１０１）と、第１の窓の外周に形成された第１の遮光部（１０２）と、第１の遮光部の外周側に形成され照明光が透過する第２の窓（１０３）とを有する板状部材（１０４）が複数同軸に積層され、複数の板状部材が固定された光学部材（１０６）と、光学部材の第１端の第１の窓に対向配置され光学像が結像される撮像部（１１０）と、撮像部の外周方向外側に第２の窓に対向して配置され照明光を出射する照明部（１１１）と、第１端の側の反対側である第２端の側の第１の窓に対応する第３の窓（１１４）と、第３の窓の内周縁部に形成され第１の遮光部に対応する第２の遮光部（１１３）とを有し光学部材の第２端に対向する位置に第３の窓と第２の遮光部とが配置され光学部材の外周面を囲繞するように配設されるカバー部材（１１２Ａ）とを具備して構成する。
2020031261.tif 000002
【特許請求の範囲】
【請求項１】
光学像を結像させる光が透過する第１の窓と、  前記第１の窓の外周縁部に形成された遮光部と、  前記遮光部の外周側に形成され照明光が透過する第２の窓と、  を有する板状部材を平面上に複数並べて形成されていることを特徴とするウェハーレンズ。
【請求項２】
前記第１の窓の内側領域には、光学レンズが形成されていることを特徴とする請求項１に記載のウェハーレンズ。
【請求項３】
光学像を結像させる光が透過する光学レンズが配置された第１の窓と、前記第１の窓の外周縁部に形成された遮光部と、前記遮光部の外周側に形成され照明光が透過する第２の窓とを有する板状部材が平面上に複数並べて形成されたウェハーレンズが、同軸に複数積層されてなるウェハーレンズアレイを、ダイシングすることによって形成されることを特徴とする積層レンズアレイ。
【請求項４】
光学像を結像させる光が透過する第１の窓と、  前記第１の窓の外周に形成された第１の遮光部と、  前記第１の遮光部の外周側に形成され照明光が透過する第２の窓と、  を有する板状部材が複数同軸に積層され、複数の前記板状部材が固定された光学部材と、  前記光学部材の第１端の前記第１の窓に対向して配置され、前記光学像が結像される撮像部と、  前記撮像部の外周方向外側に配置され、前記第１端の前記第２の窓に対向して配置され、前記照明光を出射する照明部と、  前記第１端の側の反対側である第２端の側の前記第１の窓に対応する第３の窓と、前記第３の窓の内周縁部に形成され前記第１の遮光部に対応する第２の遮光部とを有し、前記光学部材の前記第２端に対向する位置に前記第３の窓と前記第２の遮光部とが配置され、前記光学部材の外周面を囲繞するように配設されるカバー部材と、  を具備することを特徴とする内視鏡。
【請求項５】
前記光学部材の前記第２端の前記第１の窓に対向して配置され、前記第１の窓よりも硬度の高い部材で形成された第４の窓を有することを特徴とする請求項４に記載の内視鏡。
【請求項６】
前記第１の窓よりも耐薬品性が高い部材で形成され前記第１の窓に対応する第５の窓と、前記第５の窓の外周に形成され前記際１の遮光部に対応する第３の遮光部と、前記第２の窓よりも耐薬品性が高い部材で形成され前記第２の窓に対応する第６の窓とが前記光学部材の前記第２端に配設されることを特徴とする請求項４に記載の内視鏡。
【請求項７】
前記光学部材に含まれるいずれか一つの前記第２の窓は、前記照明光を拡散または収束させる光屈折部を有することを特徴とする請求項４に記載の内視鏡。
【請求項８】
前記光屈折部は、前記光学部材の前記第２端から前記第１端に向けた凹面状に形成されていることを特徴とする請求項７に記載の内視鏡。
【発明の詳細な説明】
【技術分野】
【０００１】  この発明は、複数の光学素子を平面上に並べて形成されるウェハーレンズ、このウェハーレンズを光軸方向に複数積層して接着材にて固定した積層ウェハーレンズアレイを所定領域毎に切り出して形成した積層レンズアレイ、この積層レンズアレイを撮像光学系及び照明光学系として適用した内視鏡に関するものである。
【背景技術】
【０００２】  従来、細長管形状の挿入部を有して構成される内視鏡は、例えば医療分野や工業分野等において広く利用されている。このうち、医療分野において用いられる医療用内視鏡は、挿入部を、例えば生体の体腔内に挿入して臓器等を観察したり、必要に応じて当該臓器等に対し内視鏡に具備される処置具挿通チャンネル内に挿入した処置具を用いて各種の処置を施すことができるように構成されている。また、工業分野において用いられる工業用内視鏡は、挿入部を、例えばジェットエンジンや工場配管等の装置若しくは機械設備等の内部に挿入して、当該装置又は機械設備内の傷や腐蝕等の状態を観察し検査することができるように構成されている。【０００３】  この種の内視鏡において、特に医療分野で用いられる医療用内視鏡においては、生体の体腔内へ挿入部を挿入する際の挿入性を向上させるために、挿入部の先端部の細径化や先端硬質部材の硬質長の小型化及び短縮化が常に求められている。【０００４】  一般に、この種の内視鏡においては、挿入部の先端部に設けられる先端硬質部材の内部に各種の構成ユニット（例えば、撮像光学系や撮像素子及びその撮像基板等からなる撮像ユニットや、処置具挿通チャンネル，照明用ライトガイドファイバー束等）が配設されている。【０００５】  したがって、内視鏡の挿入部の先端部の細径化や先端硬質部材の硬質長の小型化及び短縮化を実現するためには、例えば先端硬質部材の内部に設けられる各種の構成ユニットの配置を工夫したり、当該各構成ユニットのそれぞれを小型化するための努力が行われている。【０００６】  例えば、近年においては、撮像ユニットの一部を構成する撮像光学系や、照明光学系についての小型化の工夫として、複数の光学素子（ガラス若しくは樹脂成形品からなる光学レンズ）を光軸方向に同軸に複数積層させて接着固定することにより形成される積層レンズアレイについての提案がなされており、この積層レンズアレイを対物光学系として適用する内視鏡が、例えば日本国特許公開２０１８−５０７６９号公報，日本国特許公開２０１０−９１９９８６号公報等によって種々提案されている。【０００７】  上記日本国特許公開２０１８−５０７６９号公報，上記日本国特許公開２０１０−９１９９８６号公報等によって開示されている積層レンズアレイの構造は、例えば、観察対象物からの光を透過させて当該観察対象物の光学像を結像させる光学レンズ部と、この光学レンズ部の外周を囲む領域で各光学レンズ同士を光軸方向において固定するための接着部を有して構成している。そして、この接着部よりもさらに外周側の領域に照明光学系が配置される構成となっている。【０００８】  このように、上記日本国特許公開２０１８−５０７６９号公報，上記日本国特許公開２０１０−９１９９８６号公報等によって開示されている積層レンズアレイの構造では、接着部の領域分だけ外径寸法が大きくなってしまうという問題点がある。【０００９】  このことから、当該積層レンズアレイのさらなる小径化を実現するためには、例えば接着部領域を確保しながら光学レンズ部を小径化するといった構成が考えられる。【００１０】  しかしながら、光学レンズ部は観察対象物からの光を集光する機能を有していることから、当該光学レンズ部を小径化すると、光学レンズとしての集光性が劣化してしまい、当該光学レンズ部により結像される光学像の解像度を落としてしまうという問題点がある。したがって、従来の積層レンズアレイの構造によるのみでは、内視鏡の先端部の細径化を実現するには限界があった。【００１１】  本発明は、上述した点に鑑みてなされたものであって、その目的とするところは、簡単な構成で低コスト化を実現したウェハーレンズを提供し、このウェハーレンズを用いて形成した積層レンズアレイを内視鏡に適用することにより、さらなる細径化に寄与することのできる積層レンズアレイ，内視鏡を提供することである。
【発明の開示】
【課題を解決するための手段】
【００１２】  上記目的を達成するために、本発明の一態様のウェハーレンズは、光学像を結像させる光が透過する第１の窓と、前記第１の窓の外周縁部に形成された遮光部と、前記遮光部の外周側に形成され照明光が透過する第２の窓と、を有する板状部材を平面上に複数並べて形成されている。【００１３】  本発明の一態様の積層レンズアレイは、光学像を結像させる光が透過する光学レンズが配置された第１の窓と、前記第１の窓の外周縁部に形成された遮光部と、前記遮光部の外周側に形成され照明光が透過する第２の窓とを有する板状部材が平面上に複数並べて形成されたウェハーレンズが、同軸に複数積層されてなるウェハーレンズアレイを、ダイシングすることによって形成される。【００１４】  本発明の一態様の内視鏡は、光学像を結像させる光が透過する第１の窓と、前記第１の窓の外周に形成された第１の遮光部と、前記第１の遮光部の外周側に形成され照明光が透過する第２の窓と、を有する板状部材が複数同軸に積層され、複数の前記板状部材が固定された光学部材と、前記光学部材の第１端の前記第１の窓に対向して配置され、前記光学像が結像される撮像部と、前記撮像部の外周方向外側に配置され、前記一端の前記第２の窓に対向して配置され、前記照明光を出射する照明部と、前記第１端の側の反対側である第２端の側の前記第１の窓に対応する第３の窓と、前記第３の窓の内周縁部に形成され前記第１の遮光部に対応する第２の遮光部とを有し、前記光学部材の第２端に対向する位置に前記第３の窓と前記第２の遮光部とが配置され、前記光学部材の外周面を囲繞するように配設されるカバー部材と、を具備する。【００１５】  本発明によれば、簡単な構成で低コスト化を実現したウェハーレンズを提供し、このウェハーレンズを用いて形成した積層レンズアレイを内視鏡に適用することにより、さらなる細径化に寄与することのできる積層レンズアレイ，内視鏡を提供することができる。
【図面の簡単な説明】
【００１６】
【図１】本発明の各実施形態の積層レンズアレイが適用される内視鏡の概略構成を示す外観図
【図２】図１の内視鏡の先端部を図１の矢印［２］方向から見た際のようすを拡大して示す要部拡大斜視図
【図３】本発明の第１の実施形態のウェハーレンズの概略構成を示す概略平面図
【図４】図３の矢印［４］で示す部分（板状部材の一単位）を拡大して示す要部拡大概略平面図
【図５】図３のウェハーレンズを同軸に複数積層して形成されるウェハーレンズアレイの概略構成を示す概略斜視図
【図６】本発明の第１の実施形態の積層レンズアレイの概略構成を示す拡大斜視図
【図７】本発明の第１の実施形態の積層レンズアレイを内視鏡に適用する場合の構成例を示す要部分解図
【図８】図７の組立図
【図９】本発明の第２の実施形態の内視鏡の構成例を示す要部分解図
【図１０】図９の組立図
【図１１】本発明の第３の実施形態の内視鏡の構成例を示す要部分解図
【図１２】図１１の組立図
【図１３】本発明の第４の実施形態の内視鏡の構成例を示す要部分解図
【図１４】図１３の組立図
【図１５】本発明の第５の実施形態の内視鏡の構成例を示す要部分解図
【図１６】図１５の組立図
【図１７】本発明の各実施形態における積層レンズアレイについての第１の変形例を示す平面図
【図１８】本発明の各実施形態における積層レンズアレイについての第２の変形例を示す平面図
【図１９】本発明の各実施形態における積層レンズアレイについての第３の変形例を示す平面図
【発明を実施するための最良の形態】
【００１７】  以下、図示の実施の形態によって本発明を説明する。  以下の説明に用いる各図面は模式的に示すものであり、各構成要素を図面上で認識できる程度の大きさで示すために、各部材の寸法関係や縮尺等を構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。【００１８】  なお、以下に説明する各実施形態は、本発明のウェハーレンズを用いて形成した積層ウェハーレンズアレイから切り出して形成される積層レンズアレイを、内視鏡における撮像光学系及び照明光学系（導光部）として適用した例を示している。【００１９】  ［第１の実施形態］  まず、本発明の第１の実施形態の積層レンズアレイの詳細を説明する前に、当該積層レンズアレイが適用される内視鏡の概略構成を、主に図１，図２を用いて以下に説明する。【００２０】  図１，図２は、本発明の各実施形態の積層レンズアレイが適用される内視鏡の概略構成を示す図である。このうち、図１は当該内視鏡の外観図である。また、図２は図１の内視鏡の先端部を、図１に示す矢印［２］方向から見た際のようすを拡大して示す要部拡大斜視図である。【００２１】  本発明の各実施形態の積層レンズアレイが適用される内視鏡１は、図１に示すように、挿入部２と、操作部３と、ユニバーサルコード４と、内視鏡コネクタ５等を具備して主に構成されている。【００２２】  挿入部２は、細長管形状に形成され、生体の体腔内に挿入される管状部材である。この挿入部２は、先端側から順に先端部６，湾曲部７，可撓管部８が連設されて形成されており、全体として可撓性を備えている。【００２３】  このうち、先端部６は、内部に先端硬質部材が設けられ、この先端硬質部材の内部に各種の構成ユニット、例えば撮像光学系や撮像素子及びその撮像基板等からなる撮像装置である撮像ユニットや、処置具挿通チャンネル，照明光学系及び照明用ライトガイドファイバー束等からなり照明光を前方に向けて照射する照明部である照明ユニット等（いずれも不図示）を有して構成されている。【００２４】  湾曲部７は、操作部３に設けられる操作部材のうち湾曲操作を行うための湾曲ノブの回動操作を受けて、上下左右方向へと能動的に湾曲させ得るように構成される機構ユニットである。【００２５】  可撓管部８は、受動的に可撓自在となるように柔軟性を持たせて形成される管状部材である。この可撓管部８の内部には、処置具挿通チャンネルのほか、先端部６に内蔵される撮像ユニットから延出され操作部３の内部を経てユニバーサルコード４の内部へと延設される各種の電気信号線や、外部機器である光源装置から発せられる光を先端部６の先端面に設けられている照明窓１２（図２参照）へと導光するライトガイドファイバー束（不図示）等が挿通されている。【００２６】  操作部３は、挿入部２の基端部に連設されており、複数の操作部材等を有して構成される構成ユニットである。【００２７】  ユニバーサルコード４は、可撓性を有し、操作部３から延出する中空の管状部材である。このユニバーサルコード４は、挿入部２の先端部６���ら当該挿入部２の内部を挿通し操作部３の内部を経て延出される各種の電気信号線と、外部機器である光源装置（不図示）から延出されるライトガイドファイバー束と、外部機器である送気送水装置（不図示）からの送気送水用チューブ等が内部に挿通されている複合ケーブルである。【００２８】  内視鏡コネクタ５は、ユニバーサルコード４の先端に配設され、外部機器との接続を確保するための接続部材である。この内視鏡コネクタ５は、外部機器であるビデオプロセッサ（不図示）との間を接続する電気コネクタ部（不図示）のほか、外部機器である光源装置（不図示）との間を接続するライトガイド束や上記各種の電気信号線をまとめた電気ケーブル（不図示）を接続する光源コネクタ部と、外部機器である送気送水装置（不図示）からの送気送水用チューブ（不図示）を接続する送気送水プラグ（不図示）等を有して構成されている。【００２９】  内視鏡１の挿入部２の先端部３の先端面６ａには、図２に示すように、観察窓１１と、照明窓１２と、処置具挿通チャンネル開口１３と、送水ノズル１４等が設けられている。【００３０】  このうち、観察窓１１は、撮像ユニットに含まれる撮像光学系（後述する）の前面側に設けられ、観察対象物からの光を取り込む開口窓である。この観察窓１１には、ガラス又は樹脂素材からなる透明平板部材が嵌め込まれている。【００３１】  照明窓１２は、照明ユニット（照明部）の前面側に設けられ、光源装置から発せられてライトガイドファイバー束（不図示）によって導光された光を、当該内視鏡１の前方に向けて出射する開口窓である。【００３２】  処置具挿通チャンネル開口１３は、挿入部２の内部に挿通される処置具挿通チャンネルの先端開口であり、当該処置具挿通チャンネルの内部に挿通される処置具の先端側を突出させるための開口部である。【００３３】  送水ノズル１４は、送気送水装置（不図示）からの送気送水用チューブの先端部に設けられ、当該送気送水装置から送出された気体又は液体を、観察窓１１の外面に向けて射出する噴出口である。【００３４】  図１によって例示する内視鏡１は、例えば可撓性を有する挿入部２を備えたいわゆる軟性鏡とよばれる内視鏡である。この内視鏡１の基本的な構成は、従来一般に実用化されている形態のものと略同様構成を備える。したがって、内視鏡１の構成については、これ以上の説明は省略する。【００３５】  なお、図１，図２の矢印符号Ａｘで示す方向を、当該内視鏡１の挿入軸方向というものとする。この挿入軸Ａｘに沿う方向は、上記撮像ユニットの撮像光学系の光軸に略一致する方向でもある。【００３６】  次に、本発明の第１の実施形態のウェハーレンズ及び積層レンズアレイの基本的な構成を、図３〜図６を用いて以下に説明する。図３は、本実施形態のウェハーレンズの概略構成を示す概略平面図である。図４は、図３の矢印［４］で示す部分（板状部材の一単位）を拡大して示す要部拡大概略平面図である。図５は、図３のウェハーレンズを同軸に複数積層して形成されるウェハーレンズアレイの概略構成を示す概略斜視図である。図６は、本実施形態の積層レンズアレイの概略構成を示す拡大斜視図である。【００３７】  本実施形態のウェハーレンズ１００は、図３に示��ように、全体として円盤形状に形成され、透明ガラス又は透明樹脂素材によって形成される板部材である。このウェハーレンズ１００は、複数の光学素子である板状部材１０４が平面上に複数並べて形成されている。ここで、図３に示す点線Ｄは板状部材１０４のそれぞれの領域を示しており、この点線Ｄは、後述するダイシングラインに略一致するものである。つまり、図４の符号Ｆで示す矩形状の領域が板状部材１０４の一単位と考えるものとする。【００３８】  板状部材１０４の一単位は、第１の窓１０１と、第１の遮光部１０２と、第２の窓１０３とを有して構成されている。【００３９】  第１の窓１０１は、観察対象物からの光を透過させて当該観察対象物の光学像を結像させる光学レンズ部を含む開口である。そのために、この第１の窓１０１は、透明ガラス又は透明樹脂素材によって形成されている。【００４０】  第１の遮光部１０２は、第１の窓１０１の外部から当該第１の窓１０１の内部へと入射する光を遮蔽する遮光部である。そのために、この第１の遮光部１０２は、第１の窓１０１の外周を囲うように、例えば黒色樹脂素材が第１の窓１０１の外周縁部に形成されている。【００４１】  第２の窓１０３は、第１の遮光部１０２の外周側に形成され、後述する照明光を透過させ得るように透明ガラス又は透明樹脂素材によって形成されている。【００４２】  このような形態のウェハーレンズ１００は、全体として、例えば透明ガラス若しくは透明樹脂素材によって形成され、第１の遮光部１０２の領域は、例えば二色成形又はインサート成形によって形成される。【００４３】  こうして形成されたウェハーレンズ１００は、図５に示すように、複数枚を図５の矢印Ｏ方向に沿う方向で同軸に積層させて積層ウェハーレンズアレイ２００を形成する。このとき、各ウェハーレンズ１００の複数の第１の窓１０１と、複数の第１の遮光部１０２とは、それぞれが光軸Ｏ方向において略一致するように配置する。なお、図５の例示では、５枚のウェハーレンズ１００を同軸に積層した形態を示している。【００４４】  なお、この場合において、各ウェハーレンズ１００同士が対向する各面における第２の窓１０３の領域には、両者間に照明光が透過し得る光透過素材からなる透明接着材１０５が塗布される。この透明接着材１０５の作用により、各ウェハーレンズ１００同士は、矢印Ｏ方向において固定されて、積層ウェハーレンズアレイ２００が形成される。【００４５】  こうして形成された積層ウェハーレンズアレイ２００に対し、図５の点線Ｄに沿って、所定領域毎（即ち板状部材１０４の一単位毎）に、ダイシング加工を施すと、複数の積層光学部材である積層レンズアレイ１０６が切り出される。【００４６】  こうして切り出された積層レンズアレイ１０６は、図６に示すように、複数（本例では５枚）の板状部材１０４を、矢印Ｏ方向に、つまり第１の窓１０１を形成する光学レンズ部の光軸方向に沿って同軸に積層した形態のレンズアレイとして形成されている。【００４７】  なお、図６において斜線で示す領域は第２の窓１０３である。透明接着材１０５は、この第２の窓１０３に対応する斜線領域において、複数の板状部材１０４が対面している部分（図６に示す符号１０５参照）に塗布されている。したがって、積層レンズアレイ１０６において、第１の窓１０１と第２の窓１０３との各領域では、矢印Ｏ方向に光が透過しうるように構成されている。【００４８】  一方、第１の遮光部１０２は、第２の窓１０３を透過する光が第１の窓１０１へと入射するのを抑止する。同様に、第１の窓１０１側から第２の窓１０３側への光の出入りも抑止される構成となっている。【００４９】  このように構成された本実施形態の積層レンズアレイ１０６を、内視鏡１の撮像光学系及び照明光学系（導光部）として適用する際の形態を、図７，図８によって以下に説明する。【００５０】  図７，図８は本実施形態の積層レンズアレイを内視鏡に適用する場合の構成例を示す図である。このうち、図７は要部分解図であり、図８は組立図である。【００５１】  本実施形態の積層レンズアレイ１０６を、内視鏡１の撮像光学系及び照明光学系（導光部）として適用する際には、次のような構成となる。【００５２】  なお、以下の説明において、積層レンズアレイ１０６の第１の窓１０１の光学レンズ部の光軸を符号Ｏで示すものとする。そして、積層レンズアレイ１０６において内視鏡１の挿入部２の基端側に向いている面を第１端面あるいは第１端というものとする。また、積層レンズアレイ１０６の第１端面に対して光軸Ｏに沿う方向において反対側を向く面（即ち内視鏡１の挿入部２の先端側を向く面）を第２端面あるいは第２端と言うものとする。【００５３】  図７に示すように、積層レンズアレイ１０６の第１の窓１０１の第１端面に対向する位置には、撮像ユニットの一部を構成する撮像部１１０が配設されている（図７の矢印符号［Ａ］参照）。具体的には、撮像部１１０に含まれる撮像素子の受光面が、第１の窓１０１の第１端面に対向するように配置されている。【００５４】  同様に、積層レンズアレイ１０６の各第２の窓１０３の第１端面には、照明ユニット（照明部）の照明用ライトガイドファイバー束１１１が配設されている（図７の矢印符号［Ｂ］参照）。この場合において、照明用ライトガイドファイバー束１１１は、撮像部１１０の外周方向外側に配置されている。そして、当該照明用ライトガイドファイバー束１１１の前面、即ち照明光の出射面が、第２の窓１０３の第１端面に対向するように配置されている。【００５５】  このような構成により、積層レンズアレイ１０６は、撮像光学家及び照明光学系（導光部）として機能する。【００５６】  そして、撮像部１１０及び照明用ライトガイドファイバー束１１１が組み込まれた状態の積層レンズアレイ１０６の外面側には、カバー部材１１２が配設される（図７の矢印符号［Ｃ］参照及び図８参照）。このカバー部材１１２は、例えば積層レンズアレイ１０６の前面（第２端面）及び径方向（光軸Ｏに対して直交する方向；外周方向）の外周面を覆うように形成されている。そして、カバー部材１１２は透明樹脂素材等によって形成されている。【００５７】  積層レンズアレイ１０６，撮像部１１０，照明用ライトガイドファイバー束１１１，カバー部材１１２が所定の形態で組み立てられた状態が、図８に示す状態である。この状態の構成ユニットが、内視鏡１の先端部３の先端硬質部材の内部における所定の位置に配置���れる。【００５８】  内視鏡１としてのその他の構成は、従来一般に実用化されている内視鏡の構成と略同様である。【００５９】  以上説明したように上記第１の実施形態のウェハーレンズ１００は、光を透過させ光学像を結像させる光学レンズ部を含む第１の窓１０１と、第１の窓１０１の外周縁部に形成された第１の遮光部１０２と、第１の遮光部１０２の外周側に形成され照明光が透過する第２の窓１０３と、を有する板状部材１０４を平面上に複数並べて形成している。この場合において、一枚のウェハーレンズ１００上に、光を透過させる第１の窓１０１及び第２の窓１０３と、この第１の窓１０１と第２の窓１０３との間を遮光する第１の遮光部１０２とを、二色成形又はインサート成形によって形成したので低コスト化に寄与することができる。【００６０】  また、本実施形態の積層レンズアレイ１０６は、ウェハーレンズ１００を同軸に複数積層し、対向する第２の窓１０３の間に照明光が透過する透明接着剤１０５を塗布し、複数のウェハーレンズ１００が固定されてなる積層ウェハーレンズアレイ２００を、所定領域（板状部材１０４）毎に複数切り出して（ダイシングすることによって）形成される積層光学部材である。なお、第１の遮光部１０２を粘着性のある材料で形成し、この粘着性を利用して複数のウェハーレンズ１００を固定してもよい。【００６１】  この構成により、同軸に複数積層したウェハーレンズ１００における第２の窓１０３は、照明光を透過し得る形態とすることができる。【００６２】  したがって、この構成により、従来構造の積層レンズアレイでは利用できずに不要領域となっていた接着部に相当する領域、即ち、本実施形態における第２の窓１０３の領域を、照明光学系の導光部として有効活用することができる。これと同時に、当該接着部の領域分だけ積層レンズアレイ１０６の外径寸法を小型化することができる。【００６３】  そして、本実施形態の内視鏡１は、上記積層レンズアレイ１０６を撮像光学系及び照明光学系の導光部として適用している。即ち、積層レンズアレイ１０６の一端の第１の窓１０１に対向する位置に撮像部１１０の受光面を配置し、撮像部１１０の外周方向外側に照明部（照明用ライトガイドファイバー束１１１）を配置し、積層レンズアレイ１０６の一端の第２の窓１０３に対向する位置に、照明部（照明用ライトガイドファイバー束１１１）における照明光の出射面を配置している。【００６４】  このような構成により、内視鏡１において上記積層レンズアレイ１０６を撮像光学系及び照明光学系の導光部として適用することにより、内視鏡１の先端部３の小径化に寄与することができる。【００６５】  詳しくは、第２の窓１０３を照明光学系の導光部として有効活用する構成としたので、照明用ライトガイドファイバー束１１１を最先端部まで設ける必要がなくなる。したがって、このような構成により、内視鏡１の先端部３のさらなる小径化に寄与することができる。【００６６】  ［第２の実施形態］  上述の第１の実施形態の内視鏡１においては、図８に示すように、照明用ライトガイドファイバー束１１１を伝ってきた照明光は、積層レンズアレイ１０６の第２の窓１０３を介して、当該第２の窓１０３の前面から前方に��けて出射するように構成されている。【００６７】  この場合において、上述の第１の実施形態の内視鏡１の構成では、第２の窓１０３を含む積層レンズアレイ１０６の前面（第２端面）はカバー部材１１２によって覆われている。このカバー部材１１２は透明樹脂素材等によって形成されているので、第２の窓１０３から出射する照明光は、カバー部材１１２を透過して前方へ照射される。【００６８】  このとき、場合によっては、例えば図８の矢印Ｌ１で示す出射光が、カバー部材１１２の前面１１２ａにおいて反射して、同図８の矢印Ｌ２で示すように、第１の窓１０１へと入射する有害光（フレア）となることがある。【００６９】  そこで、本発明の第２の実施形態においては、このような有害光（フレア）を抑止する構成を提案している。図９，図１０は、本発明の第２の実施形態の内視鏡の構成例を示す図である。このうち、図９は要部分解図であり、図１０は組立図である。【００７０】  本実施形態の基本的な構成は、上述の第１の実施形態と略同様である。即ち、本実施形態の内視鏡は、上述の第１の実施形態で説明した積層レンズアレイ１０６と同じものを、内視鏡の撮像光学系及び照明光学系の導光部として適用している点で全く同様である。【００７１】  一方、本実施形態においては、積層レンズアレイ１０６を覆うように保持するカバー部材１１２Ａの構成が異なる。それ以外の構成は、上述の第１の実施形態と同様である。したがって、以下の説明では、異なる部分のみを詳述する。【００７２】  本実施形態の内視鏡において、カバー部材１１２Ａは、第３の窓１１４と、第２の遮光部１１３とを有して構成されている。【００７３】  ここで、第３の窓１１４は、積層レンズアレイ１０６の第２端面側の第１の窓１０１に対応する位置に設けられている。この第３の窓１１４は、透明ガラス又は透明樹脂素材によって形成されている。【００７４】  また、第２の遮光部１１３は、第３の窓１１４の内周縁部に形成され、第１の遮光部１０２に対応する遮光部である。この第２の遮光部１１３は、第２の窓１０３から出射した照明光が第１の窓１０１の前面から内部に入射するのを遮蔽する遮光部である。そのために、この第２の遮光部１１３は、例えば黒色樹脂素材等によって形成されている。【００７５】  第３の窓１１４と第２の遮光部１１３とは、積層レンズアレイ１０６（光学部材）の前面（第２端面）に対向する位置に配置されている。そして、カバー部材１１２Ａは、積層レンズアレイ１０６（光学部材）の外周面を囲繞するように配設されている。同時に、カバー部材１１２Ａは、第２の窓１０３の前面を覆うように配設されている。その他の構成は上述の第１の実施形態と略同様である。【００７６】  以上説明したように上記第２の実施形態によれば、上述の第１の実施形態と同様の効果を得ることができる。さらに、本実施形態によれば、第２の窓１０３から前方に出射する照明光が、カバー部材１１２Ａの前面部分で反射して戻り光として第１の窓１０１から入射することを抑止することができる。したがって、有害光（フレア）の発生を抑止して、より良好な画像を取得することができる。【００７７】  ［第３の実施形態］  上述の第２の実施形態においては、有害光��フレア）の発生を抑止するための第２の遮光部１１３と第３の窓１１４とをカバー部材１１２Ａに設けて構成した例を示したが、フレアを抑止するための構成は、この例示に限られることはない。次に説明する第３の実施形態は、フレアを抑止する構成についての別の構成例である。【００７８】  図１１，図１２は、本発明の第３の実施形態の内視鏡の構成例を示す図である。このうち、図１１は要部分解図であり、図１２は組立図である。【００７９】  本実施形態の基本的な構成は、上述の第１，第２の実施形態と略同様である。本実施形態の内視鏡においては、積層光学部材である積層レンズアレイ１０６Ｂの構成が若干異なると共に、この積層レンズアレイ１０６Ｂを覆うように保持するカバー部材１１２Ｂの構成も若干異なる。それら以外の構成は、上述の第１，第２の実施形態と略同様である。したがって、以下の説明では、異なる部分のみを詳述する。【００８０】  本実施形態の内視鏡において適用される積層レンズアレイ１０６Ｂは、図１１に示すように、複数の板状部材（１０４Ｂ，１０４）を光軸Ｏに沿う方向に同軸上に積層して形成した形態となっている。【００８１】  この場合において、積層レンズアレイ１０６Ｂの最先端（第２端）の板状部材１０４Ｂは、第１の窓に対応する部分に第４の窓１０１Ｂを設けて構成している。この第４の窓１０１Ｂは、他の板状部材１０４の第１の窓１０１とは異なる形態で構成されている。【００８２】  換言すると、第４の窓１０１Ｂは、積層レンズアレイ１０６Ｂ（光学部材）の他端寄りの第１の窓１０１に対向する位置、即ち最先端に配置されている。【００８３】  詳しくは、第４の窓１０１Ｂは、第１の窓１０１よりも耐薬品性が高い部材や高硬度の部材を用いて形成されている。この第４の窓１０１Ｂは、当該積層レンズアレイ１０６Ｂの最先端に設けられる光学レンズ部（対物レンズ）である。この第４の窓１０１Ｂは、後述するように、カバー部材１１２Ｂの先端面から外部に露呈するように配置される。したがって、第４の窓１０１Ｂは、耐薬品性に優れ、傷付き難い性質を有して構成されていることが望ましい。そのために、最先端の第４の窓１０１Ｂは、耐薬品性が高い部材や硬度の高い部材で構成されている。なお、高硬度の部材としては、例えばサファイアガラス等の硬質光学素子等が適用される。【００８４】  また、第４の窓１０１Ｂは、図１１等に示すように、他の第１の窓１０１よりも板厚が大となるように形成されており、板状部材１０４Ｂにおける第２の窓１０３の前面よりも前方に向けて若干突出するように形成されている。【００８５】  そして、この第４の窓１０１Ｂの突出量に対応して第１の遮光部１０２Ｂも延長して配置されており、当該第４の窓１０１Ｂの外周を囲うように配設されている。したがって、第１の遮光部１０２Ｂも、板状部材１０４Ｂの第２の窓１０３の前面よりも若干突出して形成されている。【００８６】  このような形態の板状部材１０４Ｂを形成するためには、例えば、ウェハーレンズを成形する際に、第４の窓１０１Ｂに対応する部分を空洞として、他の部分（第１の遮光部１０２Ｂ，第２の窓１０３）を成形し、その成形後に、第４の窓１０１Ｂに応じて別に形成しておいた光学レン��部を、第４の窓１０１Ｂに対応する空洞部分に嵌め込むといった手順で形成することができる。【００８７】  なお、これとは別の手順としては、例えばウェハーレンズを成形する際に、第４の窓１０１Ｂに対応する部分に高硬度部材の光学レンズ部を含めて成形する手順も考えられる。【００８８】  一方、カバー部材１１２Ｂは、積層レンズアレイ１０６Ｂを組み込んだ状態（図１２の状態）としたときに、当該積層レンズアレイ１０６Ｂ（光学部材）の他端（先端）の第４の窓１０１Ｂに対向する部位に、当該第４の窓１０１Ｂが嵌合する開口１１２Ｂａを有して形成されている。【００８９】  この構成により、積層レンズアレイ１０６Ｂをカバー部材１１２Ｂに組み込んだとき、第４の窓１０１Ｂがカバー部材１１２Ｂの先端面から露呈する形態となる。【００９０】  なお、図１２に示す状態では、第４の窓１０１Ｂ及び第１の遮光部１０２Ｂの先端面が、カバー部材１１２Ｂの先端面よりも若干突出した形態で図示しているが、この形態に限られることはない。例えば、第４の窓１０１Ｂ及び第１の遮光部１０２Ｂの先端面と、カバー部材１１２Ｂの先端面とを、ほぼ同一面とするように構成してもよい。その他の構成は、上述の各実施形態と略同様である。【００９１】  以上説明したように、このように構成された上記第３の実施形態によれば、上述の各実施形態と同様の効果を得ることができる。さらに、本実施形態によれば、積層レンズアレイ１０６Ｂの最先端の第４の窓１０１Ｂを、第１の窓１０１よりも耐薬品性の高い部材や硬度の高い部材で構成したので、耐薬品性に優れた構成若しくは傷付き難い構成とすることができる。したがって、当該第４の窓１０１Ｂがカバー部材１１２Ｂの先端面から露呈した形態であっても、第４の窓１０１Ｂに対する傷付き難さが確保されているので、問題なく観察を行うことができる。【００９２】  また、第４の窓１０１Ｂの前面側には、上述の各実施形態と異なり、カバー部材１１２Ｂを構成する部材が存在しないので、有害光（フレア）の発生を抑止することができる。【００９３】  さらに、第４の窓１０１Ｂは、突出している部分にまで第１の遮光部１０２Ｂが延長配置するように構成している。この構成による、第２の窓１０３から前方に出射する照明光による有害光（フレア）の発生を抑止して、より良好な画像を取得することができる。【００９４】  ［第４の実施形態］  上述の第３の実施形態においては、カバー部材１１２Ｂの前面の第４の窓１０１Ｂに対応する部位に開口１１２Ｂａを形成して、この開口１１２Ｂａに第４の窓１０１Ｂを嵌合配置することで、当該第４の窓１０１Ｂの前面がカバー部材１１２Ｂの先端面から露呈するように構成した例を示している。【００９５】  次に説明する第４の実施形態では、積層レンズアレイの第１の窓だけでなく第２の窓もカバー部材の先端面から露呈するように構成した例示である。【００９６】  図１３，図１４は、本発明の第４の実施形態の内視鏡の構成例を示す図である。このうち、図１３は要部分解図であり、図１４は組立図である。【００９７】  本実施形態の基本的な構成は、上述の各実施形態と略同様である。本実施形態の内視鏡においては、積層光学部材である積層レンズアレイ１０��Ｃの構成が若干異なると共に、この積層レンズアレイ１０６Ｃを覆うように保持するカバー部材１１２Ｃの構成も若干異なる。それら以外の構成は、上述の各実施形態と略同様である。したがって、以下の説明では、異なる部分のみを詳述する。【００９８】  本実施形態の内視鏡において適用される積層レンズアレイ１０６Ｃは、図１３に示すように、複数の板状部材（１０４Ｃ，１０４）を光軸Ｏに沿う方向に同軸上に積層した形態となっている。【００９９】  この場合において、積層レンズアレイ１０６Ｃの最先端（第２端）の板状部材１０４Ｃは、第１の窓に対応する部分に第５の窓１０１Ｃを設けて構成している。この第５の窓１０１Ｃは、他の板状部材１０４の第１の窓１０１とは異なる形態で構成されている。【０１００】  詳しくは、第５の窓１０１Ｃは、第１の窓１０１よりも耐薬品性が高い部材や高い硬度の部材で形成されている。この第５の窓１０１Ｃは、当該積層レンズアレイ１０６Ｃの最先端に設けられる光学レンズ部（対物レンズ）である。この第５の窓１０１Ｃは、後述するように、カバー部材１１２Ｃの先端から外部に露呈するように配置される。したがって、第５の窓１０１Ｃは、耐薬品性に優れ、傷付き難い性質を有して構成されていることが望ましい。そのために、最先端の第５の窓１０１Ｃは、耐薬品性が高い部材や硬度の高い部材で構成されている。【０１０１】  同様に、積層レンズアレイ１０６Ｃの最先端（第２端）の板状部材１０４Ｃは、第２の窓に対応する部分に第６の窓１０３Ｃを設けて構成している。この第６の窓１０３Ｃは、他の板状部材１０４の第２の窓１０３とは異なる形態で構成されている。【０１０２】  この第６の窓１０３Ｃは、第２の窓１０３よりも耐薬品性が高い部材や高い硬度の部材で形成されている。この第６の窓１０３Ｃは、当該積層レンズアレイ１０６Ｃの最先端に設けられる照明光学系である。この第６の窓１０３Ｃは、後述するように、カバー部材１１２Ｃの先端から外部に露呈するように配置される。したがって、第６の窓１０３Ｃも耐薬品性に優れ、傷付き難い性質を有して構成されていることが望ましい。そのために、最先端の第６の窓１０３Ｃも耐薬品性が高い部材や硬度の高い部材で構成されている。【０１０３】  そして、第５の窓１０１Ｃの外周であって、第６の窓１０３Ｃとの間の領域には、第１の遮光部１０２に対応する第３の遮光部１０２Ｃが形成されている。【０１０４】  このような形態の板状部材１０４Ｃを形成するためには、例えば、ウェハーレンズを成形する際に、第５の窓１０１Ｃに対応する部分と、第６の窓１０３Ｃに対応する部分とを空洞として、他の部分（第３の遮光部１０２Ｃ）を成形し、その成形後に、第５の窓１０１Ｃに応じて別に形成しておいた光学レンズ部を第５の窓１０１Ｃに対応する空洞部分に嵌め込み、同様に、第６の窓１０３Ｃに応じて別に形成しておいた照明光学系を第６の窓１０３Ｃに対応する空洞部分に嵌め込むといった手順で形成することができる。【０１０５】  なお、これとは別の手順としては、例えばウェハーレンズを成形する際に、第５の窓１０１Ｃ，第６の窓１０３Ｃに各対応する部分に耐薬品性の高い部材や高硬度部材の光学レンズ部を含めて成形する手順も考���られる。【０１０６】  一方、カバー部材１１２Ｃは、積層レンズアレイ１０６Ｃの外周を覆うように、非透明部材を用いて略筒形状に形成される先端外装部材である。そのために、このカバー部材１１２Ｃは、積層レンズアレイ１０６Ｃを組み込んだ状態（図１４の状態）としたときに、当該積層レンズアレイ１０６Ｃ（光学部材）の先端（第２端）が外部に露呈するように、開口１１２Ｃａが形成されている。この構成により、積層レンズアレイ１０６Ｃをカバー部材１１２Ｃに組み込んだとき、第５の窓１０１Ｃ及び第６の窓１０３Ｃがカバー部材１１２Ｃの先端から露呈する形態となる。その他の構成は、上述の各実施形態と略同様である。【０１０７】  以上説明したように、このように構成された上記第４の実施形態によれば、上述の各実施形態と同様の効果を得ることができる。さらに、本実施形態によれば、積層レンズアレイ１０６Ｃの最先端の第６の窓１０３Ｃを、第２の窓１０３よりも耐薬品性の高い部材若しくは硬度の高い部材で構成したので、耐薬品性に優れた構成若しくは傷付き難い構成とすることができる。したがって、第６の窓１０３Ｃがカバー部材１１２Ｃの先端面から露呈した形態であっても、第６の窓１０３Ｃに対する耐薬品性や傷付き難さが確保されているので、問題なく観察を行うことができる。【０１０８】  ［第５の実施形態］  本発明の第５の実施形態は、積層レンズアレイにおける照明光学系の構成に工夫を加えた構成例である。図１５，図１６は、本発明の第５の実施形態の内視鏡の構成例を示す図である。このうち、図１５は要部分解図であり、図１６は組立図である。【０１０９】  本実施形態の基本的な構成は、上述の第３の実施形態と略同様である。本実施形態の内視鏡においては、積層光学部材である積層レンズアレイ１０６Ｄにおける照明光学系の構成が若干異なるのみである。それ以外の構成は、上述の第３の実施形態と同様である。したがって、以下の説明では、異なる部分のみを詳述する。【０１１０】  本実施形態の内視鏡において適用される積層レンズアレイ１０６Ｄは、図１５に示すように、複数の板状部材（１０４Ｄ，１０４）を光軸Ｏに沿う方向に同軸上に積層した形態となっている。【０１１１】  この場合において、積層レンズアレイ１０６Ｄの最先端（第２端）の板状部材１０４Ｄにおける第２の窓１０３Ｄは、照明光を拡散させる拡散部（光屈折部）を有して形成されている。この場合において、上記拡散部は、積層レンズアレイ１０６Ｄ（光学部材）の最先端（第２端）から基端（第１端）に向けた凹面状に形成されている。【０１１２】  なお、拡散部の形状を工夫することによって、照明光を拡散させ、照明光の配光を制御することができる。その他の構成は、上述の第３の実施形態と略同様である。【０１１３】  以上説明したように、このように構成された上記第５の実施形態によれば、上述の各実施形態と同様の効果を得ることができる。さらに、本実施形態によれば、積層レンズアレイ１０６Ｄの第２の窓１０３Ｄを、照明光を拡散させる拡散部を有するように形成したので、照明光を拡散させることができ、照明光の配光を制御することができる。【０１１４】  なお、上述の第５の実施形態では、積層レンズアレイ１０６Ｄ��おいて、拡散部を有する第２の窓１０３Ｄは、当該積層レンズアレイ１０６Ｄの最先端の板状部材１０４Ｄに形成した例を示しているが、この構成に限られることはない。拡散部を有する第２の窓１０３Ｄは、積層レンズアレイ１０６Ｄ（光学部材）に含まれるいずれか一つの第２の窓に設けられていればよい。したがって、例えば、図１５，図１６に示す符号１０３で示される第２の窓のいずれか一つに設けられていればよい。このような構成とした場合にも、上述の第５の実施形態と同様の効果を得ることができる。なお、第５の実施形態では第２の窓１０３Ｄまたは１０３に拡散部を設けたが、第４の窓１０１Ｂまたは第１の窓１０１に光を屈折させる光学部材（光屈折部）を設け、撮像光学系の視野角を変更したり、焦点距離を変えたりすることも可能である。【０１１５】  また、上述の各実施形態においては、撮像光学系の光学レンズ部としての第１の窓や、照明光学系の導光部としての第２の窓の各形状を略矩形状として例示しているが、これら第１の窓及び第２の窓の形状としては、これらの例示に限られることはない。【０１１６】  図１７〜図１９は、本発明の各実施形態における積層レンズアレイについての各種の変形例を示す図である。【０１１７】  例えば、図１７に示すように、積層レンズアレイを構成する板状部材１０４Ｅの第２の窓１０３Ｅの外形形状を円形状として構成することもできる。【０１１８】  また、成形型の都合によっては、図１８に示すように、積層レンズアレイを構成する板状部材１０４Ｆにおいて、第１の遮光部１０２Ｆは、矩形状の第１の窓１０１Ｆの周縁の三辺に設け、他の一辺をダイシングラインとするような構成も考えられる。この構成とした場合でも、第２の窓１０３Ｆの外周を囲うようにカバー部材（不図示）を設けて構成すればよい。【０１１９】  さらに、図１９に示すように、板状部材１０４Ｇにおいて、第２の窓１０３Ｇの外形形状を一部を切り欠いた略円形状とし、第１の窓１０１Ｇの一辺を第２の窓１０３Ｇの切欠部に合わせて構成し、かつ第１の遮光部１０２Ｇは、第１の窓１０１Ｇの外周縁部に形成するような構成でもよい。【０１２０】  このように、積層レンズアレイを構成する各板状部材は、さまざまな形状及び形態で構成しても、全く同様の作用及び効果を得ることができる。【０１２１】  本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【産業上の利用可能性】
【０１２２】  本発明は、医療分野の内視鏡制御装置だけでなく、工業分野の内視鏡制御装置にも適用することができる。
【図１】
2020031261.tif 000003
【図２】
2020031261.tif 000004
【図３】
2020031261.tif 000005
【図４】
2020031261.tif 000006
【図５】
2020031261.tif 000007
【図６】
2020031261.tif 000008
【図７】
2020031261.tif 000009
【図８】
2020031261.tif 000010
【図９】
2020031261.tif 000011
【図１０】
2020031261.tif 000012
【図１１】
2020031261.tif 000013
【図１２】
2020031261.tif 000014
【図１３】
2020031261.tif 000015
【図１４】
2020031261.tif 000016
【図１５】
2020031261.tif 000017
【図１６】
2020031261.tif 000018
【図１７】
2020031261.tif 000019
【図１８】
2020031261.tif 000020
【図１９】
2020031261.tif 000021
【手続補正書】
【提出日】令和2年10月7日(2020.10.7)
【手続補正２】
【補正対象書類名】明細書
【補正対象項目名】０００１
【補正方法】変更
【補正の内容】
【０００１】
この発明は、複数の光学素子を平面上に並べて形成されるウェハーレンズが同軸に複数積層して接着固定したウェハーレンズアレイと、ウェハーレンズアレイを所定領域毎に切り出して形成した積層レンズアレイと、積層レンズアレイと光学像を結像させる撮像素子とからなる撮像ユニットと、積層レンズアレイの製造方法と、積層レンズアレイを撮像光学系及び照明光学系として適用した内視鏡に関するものである。
【手続補正３】
【補正対象書類名】明細書
【補正対象項目名】０００６
【補正方法】変更
【補正の内容】
【０００６】
例えば、近年においては、撮像ユニットの一部を構成する撮像光学系や、照明光学系についての小型化の工夫として、複数の光学素子（ガラス若しくは樹脂成形品からなる光学レンズ）を光軸方向に同軸に複数積層させて接着固定することにより形成される積層レンズアレイについての提案がなされており、この積層レンズアレイを対物光学系として適用する内視鏡が、例えば日本国特許公開２０１８−５０７６９号公報，日本国特許公開２０１０−９１９８６号公報等によって種々提案されている。
【手続補正４】
【補正対象書類名】明細書
【補正対象項目名】０００７
【補正方法】変更
【補正の内容】
【０００７】
上記日本国特許公開２０１８−５０７６９号公報，上記日本国特許公開２０１０−９１９８６号公報等によって開示されている積層レンズアレイの構造は、例えば、観察対象物からの光を透過させて当該観察対象物の光学像を結像させる光学レンズ部と、この光学レンズ部の外周を囲む領域で各光学レンズ同士を光軸方向において固定するための接着部を有して構成している。そして、この接着部よりもさらに外周側の領域に照明光学系が配置される構成となっている。
【手続補正５】
【補正対象書類名】明細書
【補正対象項目名】０００８
【補正方法】変更
【補正の内容】
【０００８】
このように、上記日本国特許公開２０１８−５０７６９号公報，上記日本国特許公開２０１０−９１９８６号公報等によって開示されている積層レンズアレイの構造では、接着部の領域分だけ外径寸法が大きくなってしまうという問題点がある。
【手続補正６】
【補正対象書類名】明細書
【補正対象項目名】００１２
【補正方法】変更
【補正の内容】
【００１２】
本発明の一態様のウェハーレンズアレイは、光学像を結像させる光が透過する第１の窓と、前記第１の窓の外周縁部に形成された遮光部と、前記遮光部の外周側に形成され照明光が透過する第２の窓と、を有する板状部材を平面上に複数並べて形成されているウェハーレンズが、同軸に複数積層され、かつ、複数積層された前記ウェハーレンズ同士が前記第２の窓の領域において接着固定されている。
【手続補正７】
【補正対象書類名】明細書
【補正対象項目名】００１３
【補正方法】変更
【補正の内容】
【００１３】
本発明の一態様の積層レンズアレイは、光学像を結像させる光が透過する光学レンズが配置された第１の窓と、前記第１の窓の外周縁部に形成された遮光部と、前記遮光部の外周側に形成され照明光が透過する第２の窓とを有する板状部材が平面上に複数並べて形成されたウェハーレンズが、同軸に複数積層され、かつ複数積層された前記ウェハーレンズ同士が前記第２の窓の領域において接着固定されているウェハーレンズアレイを、所定の領域毎に切り出すことによって形成される。
本発明の他の一態様の積層レンズアレイは、光学像を結像させる光が透過する光学レンズが配置された第１の窓と、前記第１の窓の外周縁部に形成された遮光部と、前記遮光部の外周側に形成され照明光が透過する第２の窓とを有する板状部材が、同軸に複数積層され、かつ複数積層された前記板状部材同士が前記第２の窓の領域において接着固定されている。
本発明の一態様の撮像ユニットは、光学像を結像させる光が透過する光学レンズが配置された第１の窓と、前記第１の窓の外周縁部に形成された遮光部と、前記遮光部の外周側に形成され照明光が透過する第２の窓とを有する板状部材が、同軸に複数積層され、かつ複数積層された前記板状部材同士が前記第２の窓の領域において接着固定されている積層レンズアレイと、前記積層レンズアレイの前記第１の窓に対向して配置され、前記光学像が結像される撮像素子と、を有する。
本発明の他の一態様の積層レンズアレイの製造方法は、光学像を結像させる光が透過する光学レンズが配置された第１の窓と、前記第１の窓の外周縁部に形成された遮光部と、前記遮光部の外周側に形成され照明光が透過する第２の窓とを有する板状部材を平面上に複数並べてウェハーレンズを形成するステップと、前記ウェハーレンズを、同軸に複数積層し、複数積層された前記ウェハーレンズ同士を前記第２の窓の領域において接着固定してウェハーレンズアレイを形成するステップと、前記ウェハーレンズアレイを所定の領域毎に切り出すことによって積層レンズアレイを形成するステップと、を有する。
【手続補正８】
【補正対象書類名】明細書
【補正対象項目名】００１４
【補正方法】変更
【補正の内容】
【００１４】
本発明の一態様の内視鏡は、光学像を結像させる光が透過する第１の窓と、前記第１の窓の外周に形成された第１の遮光部と、前記第１の遮光部の外周側に形成され照明光が透過する第２の窓と、を有する板状部材が複数同軸に積層され、複数の前記板状部材が前記第２の窓の領域において接着固定された光学部材と、前記光学部材の第１端の前記第１の窓に対向して配置され、前記光学像が結像される撮像部と、前記撮像部の外周方向外側に配置され、前記一端の前記第２の窓に対向して配置され、前記照明光を出射する照明部と、を具備する。
本発明の他の一態様の内視鏡は、光学像を結像させる光が透過する第１の窓と、前記第１の窓の外周に形成された第１の遮光部と、前記第１の遮光部の外周側に形成され照明光が透過する第２の窓と、を有する板状部材が複数同軸に積層され、複数の前記板状部材が固定された光学部材と、前記光学部材の第１端の前記第１の窓に対向して配置され、前記光学像が結像される撮像部と、前記撮像部の外周方向外側に配置され、前記第１端の前記第２の窓に対向して配置され、前記照明光を出射する照明部と、前記第１端の側の反対側である第２端の側の前記第１の窓に対応する第３の窓と、前記第３の窓の内周縁部に形成され前記第１の遮光部に対応する第２の遮光部とを有し、前記光学部材の前記第２端に対向する位置に前記第３の窓と前記第２の遮光部とが配置され、前記光学部材の外周面を囲繞するように配設されるカバー部材と、を具備する。
【手続補正９】
【補正対象書類名】特許請求の範囲
【補正対象項目名】全文
【補正方法】変更
【補正の内容】
【特許請求の範囲】
【請求項１】
光学像を結像させる光が透過する第１の窓と、
前記第１の窓の外周縁部に形成された遮光部と、
前記遮光部の外周側に形成され照明光が透過する第２の窓と、
を有する板状部材を平面上に複数並べて形成されているウェハーレンズが、同軸に複数積層され、かつ、複数積層された前記ウェハーレンズ同士が前記第２の窓の領域において接着固定されていることを特徴とするウェハーレンズアレイ。
【請求項２】
前記ウェハーレンズ同士は、光透過素材からなる透明接着材によって接着固定されていることを特徴とする請求項１に記載のウェハーレンズアレイ。
【請求項３】
前記第１の窓の内側領域には、光学レンズが形成されていることを特徴とする請求項１に記載のウェハーレンズアレイ。
【請求項４】
光学像を結像させる光が透過する光学レンズが配置された第１の窓と、前記第１の窓の外周縁部に形成された遮光部と、前記遮光部の外周側に形成され照明光が透過する第２の窓とを有する板状部材が平面上に複数並べて形成されたウェハーレンズが、同軸に複数積層され、かつ複数積層された前記ウェハーレンズ同士が前記第２の窓の領域において接着固定されているウェハーレンズアレイを、所定の領域毎に切り出すことによって形成されることを特徴とする積層レンズアレイ。
【請求項５】
光学像を結像させる光が透過する光学レンズが配置された第１の窓と、前記第１の窓の外周縁部に形成された遮光部と、前記遮光部の外周側に形成され照明光が透過する第２の窓とを有する板状部材が、同軸に複数積層され、かつ複数積層された前記板状部材同士が前記第２の窓の領域において接着固定されていることを特徴とする積層レンズアレイ。
【請求項６】
光学像を結像させる光が透過する光学レンズが配置された第１の窓と、前記第１の窓の外周縁部に形成された遮光部と、前記遮光部の外周側に形成され照明光が透過する第２の窓とを有する板状部材が、同軸に複数積層され、かつ複数積層された前記板状部材同士が前記第２の窓の領域において接着固定されている積層レンズアレイと、
前記積層レンズアレイの前記第１の窓に対向して配置され、前記光学像が結像される撮像素子と、
を有することを特徴とする撮像ユニット。
【請求項７】
（追加；製造方法）
光学像を結像させる光が透過する光学レンズが配置された第１の窓と、前記第１の窓の外周縁部に形成された遮光部と、前記遮光部の外周側に形成され照明光が透過する第２の窓とを有する板状部材を平面上に複数並べてウェハーレンズを形成するステップと、
前記ウェハーレンズを、同軸に複数積層し、複数積層された前記ウェハーレンズ同士を前記第２の窓の領域において接着固定してウェハーレンズアレイを形成するステップと、
前記ウェハーレンズアレイを所定の領域毎に切り出すことによって積層レンズアレイを形成するステップと、
を有することを特徴とする積層レンズアレイの製造方法。
【請求項８】
光学像を結像させる光が透過する第１の窓と、
前記第１の窓の外周に形成された第１の遮光部と、
前記第１の遮光部の外周側に形成され照明光が透過する第２の窓と、
を有する板状部材が複数同軸に積層され、複数の前記板状部材が前記第２の窓の領域において接着固定された光学部材と、
前記光学部材の第１端の前記第１の窓に対向して配置され、前記光学像が結像される撮像部と、
前記撮像部の外周方向外側に配置され、前記第１端の前記第２の窓に対向して配置され、前記照明光を出射する照明部と、
を具備することを特徴とする内視鏡。
【請求項９】
光学像を結像させる光が透過する第１の窓と、
前記第１の窓の外周に形成された第１の遮光部と、
前記第１の遮光部の外周側に形成され照明光が透過する第２の窓と、
を有する板状部材が複数同軸に積層され、複数の前記板状部材が固定された光学部材と、
前記光学部材の第１端の前記第１の窓に対向して配置され、前記光学像が結像される撮像部と、
前記撮像部の外周方向外側に配置され、前記第１端の前記第２の窓に対向して配置され、前記照明光を出射する照明部と、
前記第１端の側の反対側である第２端の側の前記第１の窓に対応する第３の窓と、前記第３の窓の内周縁部に形成され前記第１の遮光部に対応する第２の遮光部とを有し、前記光学部材の前記第２端に対向する位置に前記第３の窓と前記第２の遮光部とが配置され、前記光学部材の外周面を囲繞するように配設されるカバー部材と、
を具備することを特徴とする内視鏡。
【請求項１０】
前記光学部材の前記第２端の前記第１の窓に対向して配置され、前記第１の窓よりも硬度の高い部材で形成された第４の窓を有することを特徴とする請求項９に記載の内視鏡。
【請求項１１】
前記第１の窓よりも耐薬品性が高い部材で形成され前記第１の窓に対応する第５の窓と、前記第５の窓の外周に形成され前記第１の遮光部に対応する第３の遮光部と、前記第２の窓よりも耐薬品性が高い部材で形成され前記第２の窓に対応する第６の窓とが前記光学部材の前記第２端に配設されることを特徴とする請求項９に記載の内視鏡。
【請求項１２】
前記光学部材に含まれるいずれか一つの前記第２の窓は、前記照明光を拡散または収束させる光屈折部を有することを特徴とする請求項９に記載の内視鏡。
【請求項１３】
前記光屈折部は、前記光学部材の前記第２端から前記第１端に向けた凹面状に形成されていることを特徴とする請求項１２に記載の内視鏡。
【国際調査報告】
2020031261.tif 000022
2020031261.tif 000023